(57)【特許請求の範囲】
【請求項１】
テープカセット用金型において、上下一方のケースの周壁を突き出す突き出しピンは、その先端が平坦なものと、先端に融着リブ用の凹部が設けられたものがあり、前記２種類の突き出しピンは、カセットの仕様によって使い分けられるようにしたことを特徴とするテープカセット用金型。
【請求項２】
請求項１に記載の金型において、４隅部と前面側中央部５箇所の固着部は入れ子によってねじ止め用と融着用のものに対応可能となっているテープカセット用金型。
【発明の詳細な説明】
【０００１】
【発明の属する技術分野】
本発明は、上下ケースからなり、内部にテープ状媒体を収納するテープカセット、特に上下ケースをねじ止めまたは、融着により締結するタイプのテープカセットの製造金型に関する。
【０００２】
【従来技術】
本発明の実施例により得られるテープカセットを示す図３を借りて従来のテープカセットを簡単に説明するに、図３に示すように、従来のテープカセットは、上ケース１０と、下ケース１１とを合体して形成したケース内に、一対のリール９、９に磁気テープ８を巻回したものを収納し、上ケース１０の四隅とヘッドハウジング部の５箇所に設けた取付孔２１と、下ケース１１の四隅とヘッドハウジング部の対応する５箇所に設けた融着ピン１３とを互いに嵌合させ、融着ピン１３の頭部を超音波等でかしめながら融着するなどして上下ケースを一体に結合する。別法として、下ケース１１に融着ピン１３の代わりにタッピング孔を形成し、上ケース１０の取付孔２１から取付ビスをねじ込むことにより上下ケースを固定する。
【０００３】
これらを別々の金型で成形すると金型の種類が増えてテープカセットの製造コストが上昇するので、このようなケース４隅と中央前面側の５箇所のタッピング部の金型を入れ子構造として、タッピング用と融着用の切換え使用を可能にした工夫が特開平７−１５３２３１号公報で提案されている。
一方、このような取付または固定手段では強度が必ずしも充分でないので、上ケース１０の周壁７の下面にケースのほぼ全周長にそれに沿った細長い融着リブ（または凹溝）を設け、下ケース１１の周壁１２の上面にそれに対応する細長い凹溝（または融着リブ）を設け、それらのリブと凹溝を互いに嵌合させ、超音波溶接等により融着することによって上下ケースを合体固定することが実公平８−７５７３号公報で提案されている。
【０００４】
【発明が解決しようとする課題】
ところが、以下に示すようにユーザーによっていろいろな要望がある。それらに対応するための金型をそれぞれ製作するのではコストがかかってしまう問題がある。これらの要望には次のものがある。
（１）ケース４隅と中央前面側の５箇所はねじ止めし、周部は融着しないもの。この構造は高級感があり、またＡＢ面の区別が容易である利点がある。
（２）ケース４隅と中央前面側の５箇所はねじ止めし、周部は融着したもの。この構造は剛性が高くて丈夫であり、上下ケースの合わせ目の側面に隙間ができず見栄えがよい利点がある。
（３）４隅と中央全面側の５箇所は融着し、周部も融着したもの。この構造はそれぞれの良い点を合わせ持つ利点がある。
（４）４隅と中央全面側の５箇所は融着し、周部も融着しないもの。この構造は製造が容易であり安価に製造できる利点がある。
しかし、特開平７−１５３２３１号公報に記載された従来技術では、４隅と中央部のねじ止めタイプと融着タイプの変更は可能であるが、全周融着には対応できない。一方、実公平８−７５７３号公報に記載された従来技術では、４隅及び中央部のねじ止めタイプや融着タイプに対応できない。
本発明はこれらの要望を満足させることができる金型構造を用いて自在に設計されるテープカセットを提供することを目的とする。
【０００５】
【課題を解決するための手段】
本発明は、ケース成形後に金型内からケースを突き出すための突き出しピンが上下ケースの周壁を突き出す形式のものにおいて、先端に融着リブを形成できる凹部を設けた突き出しピンと、従来どおりの先端が平坦な突き出しピンとに交換できるようにしたカセット成形金型である。これらの突き出しピンを交換することにより、同じ金型を利用して融着タイプまたは非融着タイプの取付部または融着部を有するケースが成形できる。
すなわち、本発明はテープカセット用金型において、上下一方のケースの周壁を突き出す突き出しピンは、その先端が平坦なものと、先端に融着リブ用の凹部が設けられたものを用意し、前記２種類の突き出しピンは、カセットの仕様によって使い分けられるようにしたことを特徴とするテープカセット用金型である。本発明はさらに、上記構造の金型において、４隅部と前面側中央部５箇所の固着部は入れ子によってねじ止め用と融着用のものに対応可能となっているテープカセット用金型として構成することにより、さらに上記４種の上下カセットの取付または固定形式が可能となる。４隅と中央の取付部は、選択によりねじ止め部と融着が可能なように、特開平７−１５３２３１号公報に開示された各種の技術を使用しても良い。
【０００６】
【発明の実施の形態】
以下に本発明を実施例に関連して詳しく説明する。
図１は本発明の実施例による金型の固定型１と可動型２が閉じた成形時の状態を示し、図２は成形後の開いた状態を示す。
成形品３として示したケース１０、１１を成形する金型２０は、固定型１と可動型２からなり、図１のように固定型１と可動型２が閉じた状態で樹脂を流し込み、樹脂が冷却固化後に金型を開く。図２のように金型が開く時成形品３は固定型１から離れ可動型２についていく。なお樹脂注入ゲートに相当する箇所にはランナー５が付着しているがこれは後で除去する。成形品３を取り出すために突き出しピン４で成形品の各所を突き出す。
【０００７】
図３は実施例のオーディオテープカセットの分解斜視図である。上下ケース１０、１１内にテープを巻回した一対ハブ９、９を回転可能に収容している。
【０００８】
図４はその下ケース２の平面図である。この下ケース２が成形時に金型から突き出される部分は図中の円内または楕円内に十字を描いた符号で示されている箇所である（ハブ穴ａ、前面部ｂ、周壁１２の上面のピン当接部１４及び誤消去防止部ｄの箇所）。本発明は特に周壁１２のピン当接部１４の構造に関する。図５は図４のＡ−Ａ線断面図であり、ピン当接部１４が平坦な凹所となっている。この場合には上下ケース１０、１１の周壁７、１２の合わせ目は単なる突き合わせとなる。
一方、図６は周壁１２の突き出しピン当接部１４が図７〜図８に示したように周壁１２の上面から突出した融着リブ１６を有する突き出しピン当接部１５と交換したものである。この場合には周壁１２の頂部は当接部１５において融着リブ１６を融着することにより上下ケース１０、１１を固着する。
【０００９】
図５に示した平坦な頂面を有する周壁１２を形成するには、図１〜図２に示した金型の突き出しピン４として、図９に示したような単純に平面状の上端面を有する突き出しピン４ａを使用する。樹脂成形時に突き出しピン４ａの頂部は金型キャビティーの面を形成する。一方、図７〜図８の融着リブ１６を有する周壁１２を形成するには、図１〜図２に示した金型の突き出しピン４として、図１０に示したように頂部にピン当接部１５を形成するための凹部１６’が設けられた突き出しピン４ｂを使用する。このように、所望の成形品により成形を開始する前に突き出しピンを交換するだけで周壁１２を融着するものとしないものとを作り分けられる。
突き出しピンを交換可能にするのは、上下ケースの一方のみで良いが、上記の各実施例では下ケースにこれを適用している。
【００１０】
さらに、これらの実施例では４隅と中央部の取付部としては融着ピン１３を使用しているが、ねじ止めタイプのものを使用してもよい。またこれらの部分を成形する金型部分を入れ子にしてどちらのタイプにも適応できるようにしても良い。突き出しピンを交換可能にするのは、上下ケースの一方を成形金型のみで良いが、本実施例では下ケース用の金型にこれを適用している。
また４隅及び前部中央の先端に融着ピン１３が付いている取付部の場合は、ビス孔を使用する場合も、成形品を金型内から取り出すときには同じピンで突き出している。
【００１１】
本発明はさらに上記の周壁１２の頂部の２種の構造を、ケース４隅と中央前面側の５箇所のねじまたは融着型の取付部と組み合わせて使用する。この場合に、金型のこれらの部分の成形部を入れ子構造として、タッピング用と融着用の切換え使用を可能にするには、特開平７−１５３２３１号公報に記載された金型構造とそれにより成形されたカセット構造を採用することができるのでここでは詳細は省き、一例のみを記載する。
図１１はケース４隅と中央前面側の５箇所の取付構造がかしめ融着用ピンを形成するように構成されている例であり、上ケース１０は貫通孔を形成するように上下金型５４、５６に上下の入れ子ピン７０、７２を交換可能に取付たもので成形し（図１１（ａ）参照）、下ケース１１はかしめ融着ピンを形成するように上下金型６４、６２にかしめ溶着用入れ子ピン９６を交換可能に取付たもので成形する（図１１（ｂ）参照）。
上記の同一金型の入れ子ピンを交換することにより、図１２のように変更してビス型取付部を形成することができる。図１２の（ａ）は図１１の（ａ）と同一である。図１２の（ｂ）のように、下ケース１１にビス受け孔を形成するように、上下金型６４、６２にビス孔を形成できるビス止め用入れ子ピン６６を交換可能に取付たもので成形する。
【００１２】
【発明の効果】
本発明によると、金型の数を増やすことなく上下ケースの各種の固定方法に対応でき、広くユーザーの要望に対応できる。コスト的にも有利である。
【図面の簡単な説明】
【図１】金型が閉じた状態の要部断面図である。
【図２】金型が開いて成形品を突き出している要部断面図である。
【図３】テープカセットの分解斜視図である。
【図４】周壁の突き出しピンの先端が平坦なもので成形したケースの平面図である。
【図５】図４のＡ−Ａ断面図（周囲壁突き出し部断面）である。
【図６】周壁の突き出しピンの先端に融着リブを設けたもので成形したケースの平面図である。
【図７】図６のＢ−Ｂ断面図である。
【図８】図６のＣ−Ｃ断面図（周囲壁突き出し部断面）である。
【図９】先端が平坦な突き出しピンの側面図である。
【図１０】先端に融着リブを設けた突き出しピンの側面図及び要部拡大図である。
【図１１】４隅と前部中央の融着ピン止め型の取付構造と金型を示す断面図である。
【図１２】４隅と前部中央のビス止め型の取付構造と金型を示す断面図である。
【符号の説明】
１  固定型
２  可動型
３  成形品
４  突き出しピン
１０  上ケース
１１  下ケース
１２  周壁
１３  融着ピン
１４  周壁突き出しピン当接部
１５  周壁突き出しピン当接部
１６  融着リブ
２１  取付孔
ａ、ｂ、ｄ  突き出しピン当接部
【図１】
0003560449.tif 000002
【図２】
0003560449.tif 000003
【図３】
0003560449.tif 000004
【図４】
0003560449.tif 000005
【図５】
0003560449.tif 000006
【図６】
0003560449.tif 000007
【図７】
0003560449.tif 000008
【図８】
0003560449.tif 000009
【図９】
0003560449.tif 000010
【図１０】
0003560449.tif 000011
【図１１】
0003560449.tif 000012
【図１２】
0003560449.tif 000013